(57)【特許請求の範囲】
【請求項１】
清掃体が取り付けられたロータ軸と、該ロータ軸の端部に取り付けられたホルダと、該ホルダに設置された回転シャフトと、該回転シャフトを回転自在に保持すると共に前記ホルダの外周を覆う軸受部材とを備えてなる回転清掃体を具備し、
前記回転清掃体の軸受部材の端部をケースに形成した保持穴に軸方向移動可能に設置することにより該回転清掃体を前記ケースから着脱可能に構成すると共に、該端部が外方に移動するのを一定の付勢力で規制する付勢手段を備え、
前記軸受部材の前記清掃体側端部に前記清掃体とほぼ同じ高さのフランジ部を設けたことを特徴とする電気掃除機用吸込具。
【請求項２】
清掃体が取り付けられたロータ軸と、該ロータ軸の端部に取り付けられたホルダと、該ホルダに設置された回転シャフトと、該回転シャフトを回転自在に保持すると共に前記ホルダの外周を覆う軸受部材とを備えてなる回転清掃体を具備し、
前記回転清掃体の軸受部材の端部をケースに形成した保持穴に軸方向移動可能に設置することにより該回転清掃体を前記ケースから着脱可能に構成すると共に、該端部が外方に移動するのを一定の付勢力で規制する付勢手段を備え、
前記軸受部材の前記清掃体側端部に前記清掃体の端部を覆うフランジ部を設けたことを特徴とする電気掃除機用吸込具。
【発明の詳細な説明】
【０００１】
【発明の属する技術分野】
本発明は電気掃除機用吸込具に関する。
【０００２】
【従来の技術】
一般的に電気掃除機の吸込具としてはじゅうたん用のものとフローリング用のものに大別でき、両者は回転体の構造及び取付態様が異なる。
図１０、図１１はじゅうたん用の吸込具の一例であり、特開平８−３３５９４号公報に開示されたものである。図１０は吸込具の平面図、図１１は断面図である。
【０００３】
図において、６０は吸込継手６１の端部に取り付けられた吸込具であり、上ケーズ６３と下ケース６５及び吸込カバー６７とを備えている。吸込カバー６７は吸込口６９の上部を覆うものであり、吸込カバー６７の両端に設けられた開閉レバー７１，７３によって着脱可能に設置されている。
７５は吸込口に回転自在に設置された回転清掃体であり、ブレード７７と刷毛７９とを有している。８１はタービン室８３に設けられた羽根車、８５は吸込具６０の前端に設けられたローラ、８７は車輪である。
【０００４】
上記にように構成された従来例において、回転清掃体７５を取り外す際には、開閉レバー７１，７３を操作して吸込カバー６７を外して、上方から回転清掃体７５を取り外す。
【０００５】
図１２、図１３はじゅうたん用の吸込具の他の例を示す図であり、図１２は吸込具を床面設置側から見た図、図１３は吸込具を回転清掃体の正面断面図である。
図１２、図１３において、９１は上ケース、９３は下ケース、９２，９４はそれぞれ前輪、後輪、９５は回転清掃体である。回転清掃体９５はブレード９７が取り付けられた軸部９６と、軸部９６の端部に設けられたホルダ９８を備えてなり、両端部が軸受部材９９に回転自在に保持されている。片側の軸受部材９９は下ケース９３と下ケース９３にネジ１００で固定されたカバー体１０１の間に挾持されて設置されている。
１０３はホルダと下ケースの隙間を覆うように設けられたひさし部である。
【０００６】
上記のように構成されたこの例では、回転清掃体９５を外すには、図１４に示すように、カバー体１０１を取り付けているネジ１００を取り外し、軸受部材９９ごと取り外す。
【０００７】
なお、ひさし部１０３を設けているのは、例えば図１５に示すようにひさし部がない場合には、吸込具の側方から吸い込まれるゴミに含まれる糸などが、シャフト１０５と軸受部材９９の間にからみつき回転を阻害することになるので、それを防止するためである。
【０００８】
次に、フローリング用の吸込具の従来例について説明する。図１６〜図１８は特開平５−２６１０３５号公報に開示された電気掃除機用吸込具の説明図であり、図１６は吸込具の底面側からの外観斜視図、図１７は回転ローラ体の要部断面略図、図１８は回転ローラ体の要部分解斜視図である。
吸込具本体１１１は上部ケーズ１１２及び下部ケース１１３からなり、下部ケース１１３の下面部１１４に吸込口１１５を形成すると共に、走行用のために下部ケース１１３の前部には、１対のローラ１１６を配設し、後部には、吸込具体１１１の横幅により近い幅の広い回転ローラ体１１７を配設している。
図中の１１８および１１９は、回転ローラ体１１７のパイプおよびタイヤである。
【０００９】
回転ローラ１１７は、図１７および図１８に示すように、パイプ１１８の外周面に微細繊維製でカットパイル状の紡績布で形成されたタイヤ１１９が巻かれており、パイプ１１８の両端面には、ホルダ１２０が固定されている。このホルダ１２０に形成されたパイプ状の孔１２１に、軸受１２２の爪１２３が形設された軸１２４が回転自在に嵌合されている。また、ホルダ１２０と軸受１２２との間にはコイルばね１２５がホルダ１２０と軸受１２２に両端面が当接して圧縮された状態で配設されており、軸受１２２はコイルばね１２５をさらに圧縮する方向に移動でき、また元の位置にコイルばね１２５の弾性力で復帰できるように配設した構成である。
【００１０】
そして、軸受１２２は下部ケース１１３に形設された軸受穴１２６に嵌合されていて、回転ローラ体１１７のタイヤ１１９を持ってスラスト方向に移動させると、一方はコイルばね１２５圧縮される方向に移動し、他方はその移動分で軸受穴１２６から軸受１２２が外れ、回転ローラ体１１７を下部ケース１１３から外せることとなる。また、装着するときには、軸受１２２をスラスト側に押して縮めれば簡単に装着できる。
【００１１】
【発明が解決しようとする課題】
しかしながら、上記のように構成された従来の電気掃除機用吸込具には次のような問題があった。
（１）従来のじゅうたん用の吸込具である上記特開平８−３３５９４号公報のものでは、回転清掃体７５を取り外すには吸込カバー６７の両端に設けられた開閉レバー７１，７３を操作して吸込カバー６７を外す必要があり、両手でないと操作できない。
また、回転清掃体７５の着脱のために取り外し可能な吸込カバー６７を設けているため、吸込カバー６７と上ケース６３、下ケース６５の間に隙間が生じ、この隙間から空気が漏れ、風きり音が発生したり、あるいは真空度が低下するという問題がある。
【００１２】
（２）また、図１２、図１３に示す例では、回転清掃体９５の取り外しに吸込カバーの着脱の必要はないが、カバー体１０１を止めているネジ１００を外す必要があり、別途工具が必要になると共に作業もめんどうである。
また、ひさし部１０３を設けているために、回転清掃体９５の着脱のときに装着部が見にくくなり、回転清掃体９５の着脱が困難になっていた。
【００１３】
また、ひさし部１０３を設けて糸ゴミ等が軸受部に絡みつくのを防止しているが、ひさし部１０３だけでは十分でなく、絡みついた糸ゴミがそのうちに軸受部９９にまで侵入してシャフト１０５回転不良の原因にもなることもある。
また、ホルダ９８よりもブレード９７の高さ（径）の方が高く両者の間に段差が形成されているので、このブレード９７の端部に糸ゴミが絡みつきやすいという問題もある。
この点、ホルダ９８の高さ（径）を高く（大きく）することも考えられるが、このようにするとホルダ９８むき出し状態で回転しているため、硬質のホルダがじゅうたんに接触して回転清掃体９５の回転が遅くなってしまうため、この方法は採用できない。
このように、従来の回転清掃体が吸込口内に設置されるじゅうたん用の吸込具においては、回転清掃体を簡易に着脱できるものは存在せず、また糸ゴミなどの絡みつきを効果的に防止できていないという問題があった。
【００１４】
（３）一方、フローリング用の吸込具としては、上記の特開平５−２６１０３５号公報に示されたものがあり、この構造をじゅうたん用に適用することによって回転清掃体の着脱を簡易にすることが考えられるが、この場合には以下にような問題がある。
▲１▼  図１７から分かるように、ホルダ１２０と軸受１２２との間に隙間があり、このような構造の回転ローラ体１１７を吸込口１１５内に設置すると、前記隙間が外側に向いているため、この隙間から砂ゴミ、糸等が侵入して回転不良になることが考えられる。
これはフローリング用の回転体は吸込口の外側に設置されるため、吸込口に設置した場合の糸ゴミ等の吸引について考慮した構造になっていないからである。
▲２▼  また、従来例の回転ローラ１１７体の外周は紡績布等であり、着脱時には、回転ローラ体１１７の外周を持つことができるが、じゅうたん用の回転体には軟質体からなるブレードが放射状に２〜６枚設置されるため、ブレードを持って着脱するとブレードが伸びたり軸部から外れたりするという問題もある。
【００１５】
本発明は上記のような課題を解決するためになされたものであり、砂ゴミ、糸等が侵入して回転清掃体が回転不良になることのない電気掃除機用吸込具を得ることを目的とする。
【００１６】
【課題を解決するための手段】
本発明に係る電気掃除機用吸込具は、清掃体が取り付けられたロータ軸と、該ロータ軸の端部に取り付けられたホルダと、該ホルダに設置された回転シャフトと、該回転シャフトを回転自在に保持すると共に前記ホルダの外周を覆う軸受部材とを備えてなる回転清掃体を具備し、
前記回転清掃体の軸受部材の端部をケースに形成した保持穴に軸方向移動可能に設置することにより該回転清掃体を前記ケースから着脱可能に構成すると共に、該端部が外方に移動するのを一定の付勢力で規制する付勢手段を備え、
前記軸受部材の前記清掃体側端部に前記清掃体とほぼ同じ高さのフランジ部を設けたことを特徴とするものである。
【００２０】
また、清掃体が取り付けられたロータ軸と、該ロータ軸の端部に取り付けられたホルダと、該ホルダに設置された回転シャフトと、該回転シャフトを回転自在に保持すると共に前記ホルダの外周を覆う軸受部材とを備えてなる回転清掃体を具備し、
前記回転清掃体の軸受部材の端部をケースに形成した保持穴に軸方向移動可能に設置することにより該回転清掃体を前記ケースから着脱可能に構成すると共に、該端部が外方に移動するのを一定の付勢力で規制する付勢手段を備え、
前記軸受部材の前記清掃体側端部に前記清掃体の端部を覆うフランジ部を設けたことを特徴とするものである。
【００２１】
【発明の実施の形態】
実施の形態１．
図１は本発明の実施の形態１にかかる吸込具の正面断面図、図２はその床面側から見た平面図、図３は要部の拡大図、図４は回転清掃体の着脱の動作説明図、図５は本実施の形態に係る吸込具を備えた電気掃除機の全体説明図、図６は本実施の形態に係る吸込具の外観斜視図、図７はその正面図である。
【００２２】
まず、図５に基づいて電気掃除機の全体構成を概説すると、電気掃除機は床面に接地されて床面の清掃を行う吸込具１、一端側がカップリング３を介して吸込具１に連結された延長パイプ５、延長パイプ５の他端側に設けられた手元部７、手元部７と掃除機本体１１を連結するホース９を備えている。
【００２３】
次に、図６、図７に基づいて吸込具１の外観の構成を説明する。吸込具１は、上ケース１３、下ケース１５、下ケース１５の前部両サイドに設置された前車輪１７ａ，１７ｂ、後車輪１８ａ，１８ｂ（図２参照）下ケース１５の前端部に設けられた空気取り入れ口１９ａ，１９ｂを備えている。
【００２４】
次に、図１、図２に基づいて本実施の形態の要部の説明をする。２１は吸込具１の吸込口内部に設置された回転清掃体であり、軸部材２３と軸部材２３の外周に螺旋状に設置された清掃体であるブレード２５と、軸部材２３の両端に設置されたホルダ２７と、ホルダ２７の両端に設置されたシャフト２９と、シャフト２９を回転自在に保持すると共にホルダ２７を覆うように設置された軸受部材３１から構成されている。
【００２５】
軸部材２３には軸線方向に沿って螺旋状の溝が設けられており、この溝に沿って可撓性のあるゴム製あるいはプラスチック製の帯状のブレードが設置されている。
ホルダ２７は外方に向かって縮径する円錐台形状をしており、内方側（ブレード設置側）端部に段部２７ａが設けられている。
軸受部材３１は円筒状の有底枠体からなり、内方側端部の内周部には爪３１ａを有している。また、外方側端部には下ケース１５に形成された保持穴３３ａ，３３ｂに挿入するための一定の高さを有する矩形状の保持部３１ｂが形成されている。
【００２６】
回転清掃体２１は軸受部材３１の保持部３１ｂを下ケースの保持穴３３ａ，３３ｂに挿入することで下ケースに保持されている。
保持穴３３ｂ（図中右側）は貫通しており、回転清掃体２１を設置した状態で回転清掃体２１を図中左方向に移動できるように構成されている。
３５は保持穴３３ｂに臨ませて設置された板バネであり、保持穴３３ｂに挿入された軸受部材３１の保持部３１ｂが外方に移動するのを一定の付勢力で規制している。なお、板バネ３５は上ケース１３と下ケース１５に挾持されて設置されている。
また、回転清掃体２１を設置した状態で、軸受部材３１の底部と下ケースにおける保持穴３３ａ周辺内壁との間に一定の隙間３７が形成されるように構成されている。
【００２７】
以上のように構成された本実施の形態における作用を図２、図３に基づいて説明する。電気掃除機を稼働すると、図２の矢印で示すように吸込具１の底部吸込口及び、前端側から風ａが、前端側部から風ｂ，ｃが吸込具１に吸い込まれる。そして、これらの風が回転清掃体２１のブレード２５に当たることよって回転清掃体２１が回転する。
【００２８】
このとき、吸込具１の前端側部から入る風ｂに糸くずや砂ゴミ等が含まれることがあるが、このときホルダ２７が軸受部材３１に覆われており、しかも風の流れに対して対向していないので、ホルダ２７と軸受部材３１との隙間に入ることがない。
【００２９】
また、回転清掃体２１を取り外す際には、図４に示すように、軸受部材３１と下ケース１５との隙間３７に指を入れて図中矢印に示すように軸方向に押すことにより、他端側の軸受部材３１の保持部３１ｂが板バネ３５に抗して保持穴３３ｂに押し込まれる。これによって、指を掛けた側の保持部３１ｂが保持穴３３ａから外れ、回転清掃体２１を取り外すことができる。
このように、ブレード２５に触れることなく、しかも指一本で簡単に回転清掃体２１を取り外すことができ、また、回転清掃体２１の着脱時にブレード２５を持つ必要がないので、ブレード２５が伸びたり外れたりしない。
【００３０】
実施の形態２．
図８は本発明の実施の形態２の要部の説明図である。本実施の形態２においては、軸受部材３１のブレード側端部にブレード２５とほぼ同じ高さ（径）の外向フランジ部３１Ｆを設けたものである。
【００３１】
このように軸受部材３１に外向フランジ３１Ｆを設けることにより、吸込具１の両サイドから入る風と一緒に吸い込まれる糸ゴミ等がブレード２５の端部に直接当たるのを防止でき、糸ゴミ等がブレード２５の端部に絡みつくのを防止することができる。
また、外向フランジ３１Ｆを設けることにより、回転清掃体２１の着脱時にこれに指を掛けることができるので、回転清掃体２１の着脱をよりスムーズに行うことができる。
なお、軸受部材３１にブレード２５と同じ高さの外向フランジ３１Ｆを設けたとしても、従来技術の課題で説明したホルダの高さを高くした場合のように回転清掃体２１の回転を阻害するようなことはない。
【００３２】
実施の形態３．
図９は本発明の実施の形態３の要部の説明図である。本実施の形態３においては、軸受部材３１のブレード側端部にブレード２５の端部を覆うようなフランジ部３１Ｌを設けたものである。
このようなフランジ部３１Ｌを設けることにより、ブレード２５の端部と軸受部材３１の隙間Ｎをフランジ部３１Ｌの端部が覆うことになり、糸ゴミ等の絡みつくのを一層効果的に防止できる。
【００３３】
なお、上記の実施の形態１〜３においては軸受部材３１の保持部３１ｂの形状を矩形状にした例を示したが、これは楕円や多角形にすることもできる。楕円にした場合には水平方向が長円となるようにすれば、指の引っかけ部面積を多く取れるという効果がある。
【００３４】
【発明の効果】
この発明は、以上説明したように構成されているので、以下に示すような効果を奏する。
【００３５】
清掃体が取り付けられたロータ軸と、該ロータ軸の端部に取り付けられたホルダと、該ホルダに設置された回転シャフトと、該回転シャフトを回転自在に保持すると共に前記ホルダの外周を覆う軸受部材とを備えてなる回転清掃体を具備し、前記回転清掃体の軸受部材の端部をケースに形成した保持穴に軸方向移動可能に設置することにより該回転清掃体を前記ケースから着脱可能に構成すると共に、該端部が外方に移動するのを一定の付勢力で規制する付勢手段を備え、前記軸受部材の前記清掃体側端部に前記清掃体とほぼ同じ高さのフランジ部を設けたことにより、砂ゴミ、糸等が回転シャフトの軸受部に侵入するのを防ぎ、回転不良になるのを防止できるとともに、回転清掃体を容易に着脱することができ、さらにはケースの側方から侵入する糸などが清掃体端部に絡みつくのを防止できる。
【００３９】
また、清掃体が取り付けられたロータ軸と、該ロータ軸の端部に取り付けられたホルダと、該ホルダに設置された回転シャフトと、該回転シャフトを回転自在に保持すると共に前記ホルダの外周を覆う軸受部材とを備えてなる回転清掃体を具備し、前記回転清掃体の軸受部材の端部をケースに形成した保持穴に軸方向移動可能に設置することにより該回転清掃体を前記ケースから着脱可能に構成すると共に、該端部が外方に移動するのを一定の付勢力で規制する付勢手段を備え、前記軸受部材の前記清掃体側端部に前記清掃体の端部を覆うフランジ部を設けたことにより、砂ゴミ、糸等が回転シャフトの軸受部に侵入するのを防ぎ、回転不良になるのを防止できるとともに、回転清掃体を容易に着脱することができ、さらにはケースの側方から侵入する糸などが清掃体端部に絡みつくのを防止できる。
【図面の簡単な説明】
【図１】  本発明の実施の形態１にかかる吸込具の正面断面図である。
【図２】  本発明の実施の形態１にかかる吸込具の床面側から見た平面図である。
【図３】  本発明の実施の形態１にかかる吸込具の要部の拡大図である。
【図４】  本発明の実施の形態１にかかる吸込具の回転清掃体の着脱の動作説明図である。
【図５】  本実施の形態１に係る吸込具を備えた電気掃除機の全体説明図である。
【図６】  本実施の形態１に係る吸込具の外観斜視図である。
【図７】  本実施の形態１に係る吸込具の正面図である。
【図８】  本発明の実施の形態２の要部の説明図である。
【図９】  本発明の実施の形態３の要部の説明図である。
【図１０】  従来の吸込具の平面図である。
【図１１】  従来の吸込具の断面図である。
【図１２】  従来の吸込具を床面設置側から見た図である。
【図１３】  従来の吸込具の正面断面図である。
【図１４】  従来の吸込具の動作説明図である。
【図１５】  従来の吸込具の課題の説明図である。
【図１６】  従来の吸込具の底面側からの外観斜視図である。
【図１７】  従来の吸込具の回転ローラ体の要部断面略図である。
【図１８】  従来の吸込具の回転ローラ体の要部分解斜視図である。
【符号の説明】
１  吸込具、１３  上ケース、１５  下ケース、２１  回転清掃体、２３  軸部材、２５  ブレード、２７  ホルダ、２９  シャフト、３１  軸受部材、３１ｂ  保持部、３１Ｆ，３１Ｌ  フランジ部、３３ａ，３３ｂ  保持穴、３５  板バネ。
【図１】
0003858213.tif 000002
【図２】
0003858213.tif 000003
【図３】
0003858213.tif 000004
【図４】
0003858213.tif 000005
【図５】
0003858213.tif 000006
【図６】
0003858213.tif 000007
【図７】
0003858213.tif 000008
【図８】
0003858213.tif 000009
【図９】
0003858213.tif 000010
【図１０】
0003858213.tif 000011
【図１１】
0003858213.tif 000012
【図１２】
0003858213.tif 000013
【図１３】
0003858213.tif 000014
【図１４】
0003858213.tif 000015
【図１５】
0003858213.tif 000016
【図１６】
0003858213.tif 000017
【図１７】
0003858213.tif 000018
【図１８】
0003858213.tif 000019